(57)【特許請求の範囲】
【請求項１】
上面開放の箱形で側面に取付孔が開口された金属製のケーシングと、
前記ケーシング内に同ケーシングの上面開口から水平姿勢で収容されるプリント配線基板と、
このプリント配線基板の端縁において同プリント配線基板に沿った向きで取り付けられるとともに同プリント配線基板の導電路と接続された端子金具が装着され、かつ前記プリント配線基板の挿入に伴い前記取付孔の内側に配される機器側コネクタと、
中継端子が装着され、前記ケーシングの前記取付孔における外側の口縁部に当接可能な取付板を挟んだ裏側に前記機器側コネクタと嵌合可能な内コネクタ部が、表側に相手側コネクタと嵌合可能な外コネクタ部がそれぞれ設けられた中継コネクタと、
前記ケーシングの前記取付孔の回りをシールするべく前記中継コネクタの前記取付板の裏面に装着されたシールパッキンと、が具備されるとともに、
前記取付孔は、前記中継コネクタの内コネクタ部をクリアランスを持って挿通可能となっており、
前記ケーシング内に前記プリント配線基板ともども前記機器側コネクタが収容されたのち、前記中継コネクタの前記内コネクタ部が前記取付孔から前記ケーシングの内部に挿通されて前記機器側コネクタと接続され、そののち前記中継コネクタの前記取付板が前記シールパッキンを弾縮しつつ前記取付孔における外側の口縁部に当てられて固定されていることを特徴とする機器用コネクタ装置。
【発明の詳細な説明】
【０００１】
【発明の属する技術分野】
本発明は、ケーシングから一体的にコネクタが突設された機器用コネクタ装置に関する。
【０００２】
【従来の技術】
従来、この種の機器用コネクタ装置として、特許第２７９４５２７号公報に記載されたものが知られている。このものは、図６に示すように、ケーシング１内にプリント配線基板２が収容されるようになっており、このプリント配線基板２の一縁に沿ってＰＣＢコネクタ３が取着されている一方、ケーシング１の一側面に、フード５を備えた嵌合口４が開口されている。そして、プリント配線基板２がケーシング１内に収容されて各ＰＣＢコネクタ３が対応するフード５付きの嵌合口４の内側に設置され、相手側コネクタが嵌合口４に挿入されて対応するＰＣＢコネクタ３に嵌合接続されるようになっている。このようなコネクタ装置は、例えばシール構造が簡単にできる点で有効である。
【０００３】
【発明が解決しようとする課題】
一方この種のコネクタ装置では、放熱が有効にできるように、ケーシング１をアルミニウム等の金属製としたい場合があるが、特にフード５付きの嵌合口４の部分では、合成樹脂のように一体成形できないために、削り出し等で対応する必要があり、実際には製造が難しい。仮にダイキャストにより成形しても、フード５の内面はシール面となる可能性があるため、平滑な面に仕上げる二次加工が必要となって面倒である。
また別の問題として、各ＰＣＢコネクタ３を対応する嵌合口４と正確に芯合わせして配することが難しく、そのため相手側コネクタとの間で正規に嵌合できずに、極端な場合は端子同士の接触不良を招くおそれもあった。
本発明の機器用コネクタ装置は、上記した不具合を除去すべく完成されたものである。
【０００４】
【課題を解決するための手段】
請求項１の発明に係る機器用コネクタ装置は、上面開放の箱形で側面に取付孔が開口された金属製のケーシングと、前記ケーシング内に同ケーシングの上面開口から水平姿勢で収容されるプリント配線基板と、このプリント配線基板の端縁において同プリント配線基板に沿った向きで取り付けられるとともに同プリント配線基板の導電路と接続された端子金具が装着され、かつ前記プリント配線基板の挿入に伴い前記取付孔の内側に配される機器側コネクタと、中継端子が装着され、前記ケーシングの前記取付孔における外側の口縁部に当接可能な取付板を挟んだ裏側に前記機器側コネクタと嵌合可能な内コネクタ部が、表側に相手側コネクタと嵌合可能な外コネクタ部がそれぞれ設けられた中継コネクタと、前記ケーシングの前記取付孔の回りをシールするべく前記中継コネクタの前記取付板の裏面に装着されたシールパッキンと、が具備されるとともに、前記取付孔は、前記中継コネクタの内コネクタ部をクリアランスを持って挿通可能となっており、前記ケーシング内に前記プリント配線基板ともども前記機器側コネクタが収容されたのち、前記中継コネクタの前記内コネクタ部が前記取付孔から前記ケーシングの内部に挿通されて前記機器側コネクタと接続され、そののち前記中継コネクタの前記取付板が前記シールパッキンを弾縮しつつ前記取付孔における外側の口縁部に当てられて固定されている構成としたところに特徴を有する。
【０００５】
【発明の作用及び効果】
＜請求項１の発明＞
組み付けの手順としては、機器側コネクタがケーシング内に収容されて取付孔の内側に配される一方、中継コネクタの内コネクタ部が取付孔を通してケーシング内に臨んで機器側コネクタと嵌合される。このとき内コネクタ部を取付孔内で移動させることが可能であるから、狭いケーシング内で機器側コネクタと嵌合する作業がしやすい。そののち中継コネクタがケーシングの側面に固定される。この中継コネクタの外コネクタ部に相手側コネクタが嵌合され、そこに装着された端子金具が中継端子を介して機器側コネクタの端子金具と接続される。
ケーシングが、端的には側面に取付孔を開口しただけの簡単な構造にできるから、例えばアルミニウム等の金属材によっても製造可能となる。また、中継コネクタの中継端子は機器側コネクタの端子金具と予め正規に接続されており、この中継端子が臨んだ中継コネクタの外コネクタ部に対して相手側コネクタを嵌合するのであるから、機器側コネクタと相手側コネクタとの対応する端子金具同士を、中継端子を介して確実に接続することができる。
【０００６】
【発明の実施の形態】
以下、本発明の一実施形態を図１ないし図５に基づいて説明する。
この実施形態では防水形式のコネクタ装置を例示しており、大まかには図１に示すように、プリント配線基板１０が収容されるケーシング１１と、プリント配線基板１０に取り付けられるＰＣＢコネクタ２０と、このＰＣＢコネクタ２０と嵌合される中継コネクタ３０とを備えており、この中継コネクタ３０がケーシング１１の側面から突出して、相手側コネクタ（図示せず）と嵌合されるようになっている。
【０００７】
ケーシング１１はアルミニウム製であって、図４にも示すように、プリント配線基板１０を挿入可能な上面開放の箱形に形成されている。ケーシング１１の上面には蓋板１２が被着可能とされており、上端面には、シールリング１３が装着される装着溝１４が全周にわたって形成されている。またケーシング１１の上面の四隅には、ネジ孔１６が開口された取付部１５が張り出し形成され、蓋板１２の四隅をネジ止めすることによって固定可能とされている。
ケーシング１１の一側面１１Ａには、横長の長方形状をなす取付孔１８が開口されている。この取付孔１８の４つの角の外方には、それぞれネジ孔１９が切られている。
【０００８】
ＰＣＢコネクタ２０は、合成樹脂製のコネクタハウジング２１を有しており、このコネクタハウジング２１は図２にも示すように、前面に開口したフード部２２の背面に、縦向きの複数の仕切壁２３を形成した形状となっている。フード部２２の奥面には、図１にも示すように、複数の端子取付口２４が上下３段に整列して形成されており、各端子取付口２４に前面側から端子金具２５が挿入されて、それぞれの一端側が上下３段に分かれてフード部２２内に突出しているとともに、各端子金具２５の他端側は、３本ずつがフード部２２の背面側で共通の仕切壁２３の間に突出した後、背面からの離間距離が異なった位置で下向きに直角曲げされ、整列板２６に挿通されることにより前後３列に整列されて下向きに突出されている。
【０００９】
上記のように端子金具２５が装着されたＰＣＢコネクタ２０が、プリント配線基板１０の端縁の所定位置においてフード部２２を前方に向けた姿勢で載置され、仕切壁２３の列設位置の左右両側に設けられた取付部２８をネジ止めする等によって固定されている。それとともに、各端子金具２５の下向きに突出した他端がプリント配線基板１０を貫通し、その裏面側において対応する導電路に対して半田付けされることで電気接続されている。
【００１０】
中継コネクタ３０は、同じく合成樹脂製のコネクタハウジング３１を備えている。このコネクタハウジング３１は、図３にも示すように、上記したケーシング１１の取付孔１８における表面側の口縁に当接して覆うことが可能な取付板３２を有しており、この取付板３２の表面側に、相手側コネクタと嵌合されるフード状をなす外コネクタ部３３が、裏面側に、上記したＰＣＢコネクタ２０のフード部２２内に嵌合可能な内コネクタ部３４がそれぞれ設けられている。
内コネクタ部３４はさらには、タワー部３５と後止まり部材３６との２ピースから構成されていて、ケーシング１１の取付孔１８に外側から挿通可能とされるとともに、特にタワー部３５と取付孔１８との間には、所定のクリアランスが設けられている。
【００１１】
コネクタハウジング３１のタワー部３５内には、中継端子４０を収容可能なキャビティ３８が、ＰＣＢコネクタ２０におけるフード部２２内に突出した端子金具２５の一端側と対応した配列で形成されている。
中継端子４０は、その長さ方向の一端側にタブ状をなす雄接続部４１が、他端側に、ＰＣＢコネクタ２０の端子金具２５と接触される接触片４３を収容した角筒形をなす雌接続部４２がそれぞれ形成されている。
【００１２】
このような中継端子４０が、雄接続部４１を前方に向けた姿勢でキャビティ３８内に後方から挿入され、所定位置まで挿入されると、雄接続部４１が外コネクタ部３３内に突出した状態とされる。それとともに、タワー部３５の突出端に後止まり部材３６が装着されて、中継端子４０が抜け止め状に収容されるようになっている。この後止まり部材３６には、各キャビティ３８と対応する位置ごとに、ＰＣＢコネクタ２０の端子金具２５の一端を挿入可能な端子挿入口３７が開口されている。
【００１３】
取付板３２の裏面側の周縁には、シールパッキン４５を装着するための装着溝４９が周設されている。このシールパッキン４５は、ケーシング１１の取付孔１８の口縁に当接する面に図示２条のリップ４６が形成され、上下両片に突設された耳部４７を、装着溝４９の外側面に形成した差込溝５０に差し込むことで、装着溝４９内に外れ止めされて収容されるようになっている。
取付板３２の四隅におけるケーシング１１のネジ孔１９と対応した位置には、カラー５１が嵌着されることで、ボルト５２の挿通孔５３が形成されている。
【００１４】
続いて、本実施形態の組付手順を説明する。
ＰＣＢコネクタ２０側では、コネクタハウジング２１に端子金具２５と整列板２６とを組み付けたのち、既述した要領で、ＰＣＢコネクタ２０をプリント配線基板１０の端縁の所定位置に固定するとともに、端子金具２５と対応する導電路とを接続する。
一方、中継コネクタ３０では、各キャビティ３８に中継端子４０を挿入したのち後止まり部材３６を装着して抜け止め状態に収容し、それとともに装着溝４９にシールパッキン４５を装着する。
【００１５】
そうしたら、図４に示すように、ＰＣＢコネクタ２０が取り付けられたプリント配線基板１０がケーシング１１内に上方から挿入され、ＰＣＢコネクタ２０が取付孔１８の内側に配される。なお、プリント配線基板１０はケーシング１１の底面に設けたスペーサ等で受けるようにしてもよい。次に、中継コネクタ３０の内コネクタ部３４が取付孔１８を通してケーシング１１内に挿入され、図５に示すように、内コネクタ部３４がＰＣＢコネクタ２０のフード部２２内に嵌合される。それに伴い、ＰＣＢコネクタ２０の各端子金具２５の一端が、端子挿入口３７を通して対応する中継端子４０の雌接続部４２に挿入され、個別に電気接続される。ここで、中継コネクタ３０の内コネクタ部３４と取付孔１８との間には所定のクリアランスが設けられているから、内コネクタ部３４を取付孔１８内で移動させつつ、ＰＣＢコネクタ２０との嵌合がスムーズに行われる。
【００１６】
ＰＣＢコネクタ２０と中継コネクタ３０とが嵌合できたら、中継コネクタ３０の取付板３２をケーシング１１の側面１１Ａに当てて挿通孔５３をネジ孔１９と整合し、挿通孔５３に通したボルト５２をネジ孔１９に螺合して締め付けることで、中継コネクタ３０がケーシング１１の側面１１Ａに対して外コネクタ部３３を外方に突出させた状態で固定される。そのとき、シールパッキン４５のリップ４６が潰されつつ取付孔１８の口縁に密着され、取付孔１８の回りのシールが取られる。
次に、ケーシング１１の装着溝１４にシールリング１３が装着されたのち蓋板１２が被せられ、四隅をネジで止めると、ケーシング１１の上面がシールされた状態で蓋板１２で覆われる。
【００１７】
以上によりコネクタ装置の組み付けが完了し、後は、ケーシング１１の側面１１Ａから突出した状態の中継コネクタ３０の外コネクタ部３３に対して、図示しない相手側コネクタが、レバーの回動操作に伴うてこ作用を利用して嵌合される。ここで、相手側コネクタの外周面にはシールリングが嵌着されており、外コネクタ部３３の内周面との間でシールリングが密着されることで、中継コネクタ３０と相手側コネクタとの間のシールが取られることになる。
【００１８】
以上説明したように本実施形態によれば、ケーシング１１について端的には、側面１１Ａに取付孔１８を開口しただけの簡単な構造にできるから、放熱等に有効なようにアルミニウム等の金属材を素材としても、比較的簡単に製造することができる。また、中継コネクタ３０の中継端子４０はＰＣＢコネクタ２０の端子金具２５と予め正規に接続されており、この中継端子４０が臨んだ中継コネクタ３０の外コネクタ部３３に対して相手側コネクタを嵌合するのであるから、ＰＣＢコネクタ２０と相手側コネクタとの対応する端子金具同士を、中継端子４０を介して確実に接続することができる。
また、中継コネクタ３０の内コネクタ部３４の付け根側と取付孔１８との間にはクリアランスが設けられているから、内コネクタ部３４を取付孔１８内で移動させつつ、ＰＣＢコネクタ２０との嵌合をスムーズに行うことができる。
【００１９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は、プリント配線基板上にＰＣＢコネクタを複数個取り付けて、それぞれに個別に相手側コネクタを嵌合する形式のものにも同様に適用することができる。
【図面の簡単な説明】
【図１】本発明の一実施形態に係る分解縦断面図
【図２】ＰＣＢコネクタの分解斜視図
【図３】中継コネクタの分解斜視図
【図４】組み付け手順を示す分解斜視図
【図５】組み付け完了時の縦断面図
【図６】従来例の斜視図
【符号の説明】
１０…プリント配線基板
１１…ケーシング
１１Ａ…（ケーシング１１の）側面
１８…取付孔
２０…ＰＣＢコネクタ（機器側コネクタ）
２１…コネクタハウジング
２２…フード部
２５…端子金具
３０…中継コネクタ
３１…コネクタハウジング
３２…取付板
３３…外コネクタ部
３４…内コネクタ部
４０…中継端子
５２…ボルト
【図１】
0004348879.tif 000002
【図２】
0004348879.tif 000003
【図３】
0004348879.tif 000004
【図４】
0004348879.tif 000005
【図５】
0004348879.tif 000006
【図６】
0004348879.tif 000007